(57)【要約】【課題】既設の便器Ｂに付設する際に、実用性を向上させる。【解決手段】便器Ｂの内部に設置する温水ノズル１１と、温水ノズル１１を下向きの待機位置と上向きの使用位置とに駆動するモータと、温水ノズル１１に温水を供給する供給ユニットを設ける。【選択図】図１
2007016438.tif 000002
【特許請求の範囲】
【請求項１】
便器の内部に設置する温水ノズルと、該温水ノズルを下向きの待機位置と上向きの使用位置とに駆動するモータと、便器の外部に設置し、前記温水ノズルに温水を供給する供給ユニットとを備えてなり、該供給ユニットは、前記温水ノズルの使用に先き立って、管路内の冷水を待機位置の前記温水ノズルから便器内に排出させることを特徴とする便器用の身体洗浄ユニット。
【請求項２】
前記温水ノズルは、便器の内外に連通する第１管と、該第１管の先端に回転自在に連結し、前記モータによって正逆に回転駆動する下向きの第２管と、該第２管の下端に回転自在に連結し、前記第２管の回転により旋回しながら回転する第３管とを介して便器の内部に保持することを特徴とする請求項１記載の便器用の身体洗浄ユニット。
【請求項３】
前記温水ノズルは、便器の壁面を回転自在に貫通し、かつ前記モータによって回転駆動する保持管を介して便器の内部に保持することを特徴とする請求項１記載の便器用の身体洗浄ユニット。
【請求項４】
前記温水ノズルは、便器の内外に連通する第１管と、該第１管の先端に回転自在に連結し、前記モータによって回転駆動する保持管とを介して便器の内部に保持することを特徴とする請求項１記載の便器用の身体洗浄ユニット。
【発明の詳細な説明】
【技術分野】
【０００１】
この発明は、既設の便器に容易に付設して設置することができる便器用の身体洗浄ユニットに関する。
【背景技術】
【０００２】
出願人は、既設の便器に付設して、排泄後の肛門部を温水によって自動洗浄することができる簡便な身体洗浄ユニットを先きに提案した（特許文献１）。
【０００３】
このものは、既設の便器の便器本体Ｂ1 と、便座Ｂ2 、便座蓋Ｂ3 との間に支持枠２を有するケース体１を組み付け（図１１）、ケース体１に対し、温水ノズル３、温風ノズル４を組み込んで構成されている。なお、支持枠２は、便器本体Ｂ1 の上縁とほぼ同一形状に形成され、ケース体１は、便座Ｂ2 、便座蓋Ｂ3 用のヒンジＢ5 、Ｂ5 を取り付けるボルトＢ4 、Ｂ4 を利用して便器本体Ｂ1 の後部に取り付けることができる。
【０００４】
ケース体１には、温水ノズル３から適温の温水を噴出させるために、外部の冷水源Ｃ、湯源Ｈに接続する混合弁１ａと、混合弁１ａと温水ノズル３との間に介装する開閉弁１ｂと、混合弁１ａ、開閉弁１ｂの間から分岐するドレン弁１ｃ付きのドレン管１ｄとが組み込まれている（図１２）。また、ケース体１には、温風ノズル４から温風を噴出させる図示しない電気式の温風ヒータが組み込まれており、さらに、温水ノズル３、温風ノズル４を便器本体Ｂ1 内に突出させ、それらを一体のままケース体１内に回転収納させる図示しない駆動モータが組み込まれている。
【０００５】
そこで、このものは、使用者が便座Ｂ2 上に着座すると、混合弁１ａ、開閉弁１ｂ、ドレン弁１ｃを開き、ドレン管１ｄを介して管路内の冷水を便器内に排出する。また、排泄後、洗浄開始指令を与えることにより、混合弁１ａ、開閉弁１ｂを開いて温水ノズル３からの温水によって肛門部を洗浄し、その後、温風ノズル４からの温風によって肛門部を乾燥させることができる。なお、温水ノズル３、温風ノズル４は、使用時にのみケース体１から便器本体Ｂ1 内に突出し、不使用時にはケース体１内に収納されている。
【特許文献１】特開２００４−３０８２３０号公報
【発明の開示】
【発明が解決しようとする課題】
【０００６】
かかる従来技術によるときは、温水ノズル３、温風ノズル４と、それらに付随する弁類、温風ヒータ、駆動モータなどの全部品をケース体１にコンパクトに収納する必要があるため、設計製作上の制約が大きく、製造コストが過大になりがちであるという問題があった。ケース体１は、便器本体Ｂ1 と便座Ｂ2 、便座蓋Ｂ3 との間に介装するため、許容サイズが厳しく制限されてしまうからである。
【０００７】
そこで、この発明の目的は、かかる従来技術の問題に鑑み、便器内の温水ノズルと、温水ノズルを待機位置、使用位置に駆動するモータとを設けることによって、設計製作上の自由度を高め、実用性を向上させることができる便器用の身体洗浄ユニットを提供することにある。
【課題を解決するための手段】
【０００８】
かかる目的を達成するためのこの発明の構成は、便器の内部に設置する温水ノズルと、温水ノズルを下向きの待機位置と上向きの使用位置とに駆動するモータと、便器の外部に設置し、温水ノズルに温水を供給する供給ユニットとを備えてなり、供給ユニットは、温水ノズルの使用に先き立って、管路内の冷水を待機位置の温水ノズルから便器内に排出させることをその要旨とする。ただし、この発明において、下向き、上向きとは、斜め下向き、斜め上向きを含むものとする。
【０００９】
なお、温水ノズルは、便器の内外に連通する第１管と、第１管の先端に回転自在に連結し、モータによって正逆に回転駆動する下向きの第２管と、第２管の下端に回転自在に連結し、第２管の回転により旋回しながら回転する第３管とを介して便器の内部に保持することができ、または、便器の壁面を回転自在に貫通し、かつモータによって回転駆動する保持管を介して便器の内部に保持することができ、あるいは、便器の内外に連通する第１管と、第１管の先端に回転自在に連結し、モータによって回転駆動する保持管とを介して便器の内部に保持することができる。
【発明の効果】
【００１０】
かかる発明の構成によるときは、温水ノズルは、便器の内部に設置され、温水ノズルに温水を供給する供給ユニットは、便器の外部に設置される。また、温水ノズルを待機位置、使用位置に駆動するモータは、便器の外部または内部に設置される。そこで、温水ノズル、モータ、供給ユニットは、それぞれのサイズや形状について極端な制約がなく、設計上の自由度を高くして実用性を向上させることができる。なお、供給ユニットは、下向きの待機位置の温水ノズルを介して管路内の冷水を便器内に排出させ、管路内の冷水を温水に置換するから、格別なドレン弁やドレン管を設けることなく、冷水による不快感を排除することができる。
【００１１】
第１管ないし第３管を介して便器の内部に保持する温水ノズルは、モータを介して第２管を回転駆動することにより、第３管を介して水平に旋回しながら上下に回転し、下向きの待機位置と上向きの使用位置との間に容易に駆動することができる。ただし、このときの待機位置とは、たとえば便器の前方に向く位置であり、使用位置とは、便器を横切る方向の位置である。なお、第２管を回転駆動することにより第３管を旋回させながら回転させるには、たとえば、第２管の下端に直角に連結する第３管上のギヤを固定ギヤに噛合させ、または、中間部を第３管上に巻き付けて固定する伸縮可能な索状体の両端を固定部材に連結することによって、第２管を回転させて第３管を水平に旋回させるとき、それに伴って第３管を回転させる。
【００１２】
便器の壁面を回転自在に貫通する保持管を介して便器の内部に保持する温水ノズルは、便器の外部に設置するモータを介して保持管を回転させることにより、下向きの待機位置、上向きの使用位置に駆動することができる。ただし、ここにいう待機位置、使用位置は、実質的に同一位置であり、単に温水ノズルの姿勢が上向き、下向きに変化するだけである。なお、保持管は、たとえば適切なシール付きのブッシュを介し、壁面の貫通部分を水密にシールすることが好ましい。一方、便器の内外に連通する第１管の先端に保持管を連結し、便器内のモータによって保持管を回転駆動すれば、第１管を便器の壁面に回転自在に貫通させることなく、同様の動作形態を容易に実現することができる。
【発明を実施するための最良の形態】
【００１３】
以下、図面を以って発明の実施の形態を説明する。
【００１４】
便器用の身体洗浄ユニットは、便器Ｂ内に設置する温水ノズル１１と、便器Ｂの外部に設置するモータＭと、便器Ｂの外部に設置する供給ユニット２０とを備えてなる（図１、図２）。ただし、図１（Ａ）、（Ｂ）は、それぞれ温水ノズル１１が斜め下向きの待機位置、斜め上向きの使用位置にあることを示す要部斜視図である。また、モータＭは、便器Ｂの外部の一方の側部において、ケースＭ1 に収納して設置されている。
【００１５】
便器Ｂは、便器本体Ｂ1 と、ヒンジＢ5 、Ｂ5 を介して便器本体Ｂ1 に付設する便座Ｂ2 とを備えている。なお、便座Ｂ2 上には、ヒンジＢ5 、Ｂ5 を介して図示しない便座蓋Ｂ3 が付設されている。便座Ｂ2 の下面には、スペーサＢ2a、Ｂ2a…が装着されている。
【００１６】
温水ノズル１１は、第１管３１、第２管３２、第３管３３を介して便器Ｂ内に保持されている（図１、図３）。第１管３１は、ブラケット３１ｂを介し、便器本体Ｂ1 の片側の上縁を越えるようにして設置されている。ブラケット３１ｂは、たとえばモータＭを設置する側の便器本体Ｂ1 の片側において、便器本体Ｂ1 の上縁に弾発的に嵌合させて固定することができる。第２管３２は、第１管３１の先端のエルボ形の回転継手３１ａに対し、下向きに回転自在に連結されている。また、第３管３３は、第２管３２の下端のエルボ形の回転継手３２ａに対し、回転自在に連結されている。さらに、第３管３３の先端には、エルボ形の温水ノズル１１が装着されている。
【００１７】
第２管３２の中間には、チェーンスプロケット３５ａが固定されており、チェーンスプロケット３５ａと、モータＭの軸端のチェーンスプロケット３５ｂとの間には、便器本体Ｂ1 の上縁を横切るようにしてチェーン３５が巻き掛けられている。ただし、チェーン３５は、モータＭによって第２管３２を正逆に回転駆動することができればよく、タイミングベルトや、摩擦式のベルトの他、適切なギヤなどに代えてもよい。なお、第１管３１、チェーン３５は、便座Ｂ2 の下面のスペーサＢ2a、Ｂ2a…、ヒンジＢ5 、Ｂ5 の高さ内で便器本体Ｂ1 の上縁を横切るように、適切に構成するものとする。たとえば、第１管３１は、少なくとも便器本体Ｂ1 の上縁上に位置する部分を上下に薄い偏平管としてもよい。また、スペーサＢ2a、Ｂ2a…は、図１１の支持枠２とし、第１管３１、チェーン３５に対応する切欠きを支持枠２に設けてもよい。
【００１８】
第２管３２の下部には、下向きのギヤ３６ａが相対回転自在に装着されている。ギヤ３６ａは、複数の支持ロッド３６ｂ、３６ｂ…を介してエルボ形の回転継手３１ａに固定されている。一方、第３管３３の基部には、ギヤ３６ａに噛合するギヤ３６ｃが相対回転不能に固定されている。
【００１９】
そこで、モータＭを介して第２管３２を正逆に回転駆動すると、エルボ形の回転継手３２ａを介して第３管３３を水平に旋回させることができ、このとき、ギヤ３６ａ、３６ｃを介して第３管３３を回転させ、温水ノズル１１を下向き、上向きに駆動することができる。たとえば、温水ノズル１１が下向きの待機位置（図３の実線、図１（Ａ））にあるとき、第２管３２を図３の矢印Ｋ1 方向に約９０°回転させると、第３管３３も同方向に同一角度だけ水平旋回し（図３の矢印Ｋ2 方向）、このとき、第３管３３、温水ノズル１１が同図の矢印Ｋ3 方向に回転して温水ノズル１１を上向きの使用位置（同図の二点鎖線、図１（Ｂ））に駆動することができる。また、使用位置の温水ノズル１１を待機位置に戻すには、モータＭを介して第２管３２を逆方向に約９０°回転駆動すればよい。
【００２０】
なお、図１（Ａ）、（Ｂ）の待機位置、使用位置において、温水ノズル１１は、それぞれほぼ便器Ｂの前方に向き、便器Ｂを横切る方向に位置している。そこで、モータＭによる第２管３２の回転角度は、約９０°に設定すればよいが、それ以外の適宜の角度に設定することも可能である。また、温水ノズル１１は、待機位置における斜め下向き、使用位置における斜め上向きの間に姿勢変化させるために、ギヤ３６ａ、３６ｃの変速比を１として第２管３２の回転角度と同一角度だけ第３管３３を回転させればよいが、ギヤ３６ａ、３６ｃの変速比を１以外とすることにより、第２管３２の回転角度と異なる角度だけ第３管３３を回転させることも可能である。
【００２１】
一方、図３のギヤ３６ａ、３６ｃは、第２管３２、第３管３３の回転角度が約９０°である場合を想定して、円周の約１／３にだけ歯を形成する部分ギヤとしているが、それぞれの全周に歯を形成してもよい。また、ギヤ３６ａ、３６ｃは、ベベルギヤを含む任意の交差軸ギヤとしてもよく、多少の汚物などが付着しても円滑に回転するように、一方の歯を係合ピンに代え、他方の歯に係合ピンを係合させてバックラッシを大きくしてもよい。
【００２２】
供給ユニット２０は、調節弁２１ａ、２１ｂを組み合わせる混合弁２１と、開閉弁２２とを縦続して構成されている（図２）。一方の調節弁２１ａの入口側は、冷水源Ｃに接続され、他方の調節弁２１ｂの入口側は、ヒータユニット２３を介して冷水源Ｃに接続されている。また、開閉弁２２の出口側は、温水ノズル１１用の第１管３１に接続されている。なお、ヒータユニット２３は、その作動中において入口側から流入する水を加温し、出口側の湯温を適温に保つことができる。供給ユニット２０は、トイレット内の適宜の場所において、床置式または壁掛式などとして設置する。
【００２３】
かかる便器用の身体洗浄ユニットは、たとえば図４のように作動する。ただし、使用前（図４の時刻ｔ＜ｔo ）において、温水ノズル１１は、下向きの待機位置に待機しており、混合弁２１の調節弁２１ａ、２１ｂ、開閉弁２２は、すべて全閉となっており、ヒータユニット２３は、作動していないものとする。
【００２４】
使用者が便座Ｂ2 上に着座すると（図４の時刻ｔ＝ｔo 、以下、単に（ｔ＝ｔo ）のように記す）、図示しないセンサが作動して、ヒータユニット２３を作動させるとともに混合弁２１の調節弁２１ａ、２１ｂを適切な開度に開き、さらに開閉弁２２を開くことにより、温水ノズル１１の使用に先き立って、混合弁２１以降の管路内の冷水を下向きの温水ノズル１１から便器Ｂ内に排出させる（ｔ＝ｔo 〜ｔ1 ）。なお、混合弁２１は、調節弁２１ａ、２１ｂを介し、冷水源Ｃからの水とヒータユニット２３からの湯とを混合して適温の温水を作り、調節弁２１ａ、２１ｂは、温水ノズル１１から適切な温度、水勢の温水が噴射されるように、あらかじめ調節設定されている開度に自動的に開くものとする。時刻ｔ＝ｔ1 となって混合弁２１以降の管路内の冷水が全部排出され、混合弁２１からの温水によって置換されると、開閉弁２２を閉じて待機する（ｔ＞ｔ1 ）。なお、時刻ｔ＝ｔo 〜ｔ1 の制御は、単なるタイマ制御で十分である。
【００２５】
排泄が済んだ使用者が図示しないスイッチを操作して洗浄開始指令を与えると（ｔ＝ｔ2 ）、モータＭが作動して温水ノズル１１を上向きの使用位置に駆動する（ｔ＝ｔ2 〜ｔ3 ）。つづいて、開閉弁２２が開き（ｔ＝ｔ3 ）、温水ノズル１１から噴射する温水により肛門部を洗浄することができ（ｔ＝ｔ3 〜ｔ4 ）、次に、図示しないスイッチを操作して停止指令を与えると（ｔ＝ｔ4 ）、開閉弁２２が閉じて洗浄動作が完了する。同時に、ヒータユニット２３を停止させ、調節弁２１ａ、２１ｂを閉じるとともに、モータＭを介して温水ノズル１１を元の待機位置に復帰させ（ｔ＝ｔ4 〜ｔ5 ）、一連の動作を完了する。
【００２６】
以上の説明において、ヒータユニット２３は、供給ユニット２０の外部に設けてもよく、図１２のように外部の湯源Ｈが利用可能な場合は、これを省略してもよい。また、混合弁２１は、図１２の混合弁１ａのような一体形のものであってもよい。
【他の実施の形態】
【００２７】
温水ノズル１１は、モータＭにより、ギヤ３６ａ、３６ｃを介するに代えて、両端部のばね３７ａ、３７ａによって伸縮可能な可撓性の索状体３７を介して、下向きの待機位置（図５の一点鎖線）、上向きの使用位置（同図の二点鎖線）の間に駆動することができる。なお、同図の実線は、待機位置、使用位置の間の中間位置を示す。
【００２８】
第１管３１の先端のエルボ形の回転継手３１ａには、扇形のブラケット３７ｂが固定されている。また、索状体３７の両端は、それぞればね３７ａを介してブラケット３７ｂの両端の角部に係止され、中間部は、第３管３３に巻き付けるようにして掛けられ、固定点３７ｃにおいて第３管３３の外周に固定されている（図６）。なお、図５、図６において、ブラケット３７ｂ上のばね３７ａ、３７ａの係止点は、第２管３２の回転による第３管３３の水平旋回範囲の両外側に位置するものとする。また、図６の第３管３３上の矢印は、温水ノズル１１の向きを示している。
【００２９】
温水ノズル１１が下向きの待機位置にあるとき、モータＭを介して第２管３２を回転させ（図５の矢印Ｋo 方向）、第３管３３を使用位置に向けて水平旋回させると（図６の矢印Ｋ1 方向）、ばね３７ａ、３７ａのうちの一方が引っ張られて第３管３３が回転し（同図の矢印Ｋ2 方向）、中間位置を経て温水ノズル１１を上向きの使用位置に駆動することができる。温水ノズル１１を上向きの使用位置から下向きの待機位置に復帰させるときは、モータＭを介して第２管３２を逆方向に回転させればよい。なお、第３管３３の外周には、エルボ形の回転継手３２ａの先端の切欠き３２ｂに係合する係合ピン３３ａが立設されており（図７）、係合ピン３３ａ、切欠き３２ｂは、第３管３３の回転範囲を規定し、待機位置、使用位置における温水ノズル１１の向きを規定することができる。
【００３０】
図５、図６において、ばね３７ａ、３７ａ付きの索状体３７は、それぞれブラケット３７ｂ上の一方の係止点から固定点３７ｃまでのばね３７ａ付きの２本の索状体３７、３７に分割してもよい。また、索状体３７自体を伸縮性のゴム紐、ゴムベルト、ゴムバンドなどとすることにより、別体のばね３７ａを省略してもよい。なお、係合ピン３３ａ、切欠き３２ｂによる第３管３３の回転角度範囲は、モータＭによる第２管３２の回転角度と同一に設定してもよく、異ならせて設定してもよい。
【００３１】
便器Ｂの便器本体Ｂ1 の上縁には、前後の温風噴出口１２ａ、１２ｂを斜め上向きに開口する温風ダクト１２を付設することができる（図８）。ただし、図８において、温水ノズル１１は、図３または図５に図示するものである。
【００３２】
温風ダクト１２は、便器本体Ｂ1 の上縁とほぼ同一形状に形成され、便器本体Ｂ1 の上縁の後部と、第１管３１、温水ノズル１１を設置しない側の片側の側部と、前部とに連続している。また、第１管３１、温水ノズル１１側の側部には、温風ダクト１２と同一高さのスペーサ１２ｃ、１２ｄが付設され、スペーサ１２ｃ、１２ｄも、第１管３１、ブラケット３１ｂの位置を除き、全体として便器本体Ｂ1 とほぼ同一形状に形成されている。温風ダクト１２の後端には、たとえば整髪用のハンドドライヤを利用する温風ヒータ１２ｅが連結されている。ただし、温風ヒータ１２ｅは、他の任意の電気ヒータであってもよい。
【００３３】
温水ノズル１１からの温水によって肛門部を洗浄した後、図示しないスイッチを操作して温風ヒータ１２ｅを作動させると、前後の温風噴出口１２ａ、１２ｂからの温風により、肛門部を含む局所を乾燥させることができる。温風ヒータ１２ｅは、乾燥後、図示しないスイッチを介して停止させる。なお、温風ダクト１２、スペーサ１２ｃ、１２ｄは、便座Ｂ2 の下面のスペーサＢ2a、Ｂ2a…とともに、またはスペーサＢ2a、Ｂ2a…に代えて、第１管３１などが便器Ｂの上縁を横切っていても、便座Ｂ2 を便器本体Ｂ1 の上縁に安定に着座させることができる。ただし、図８において、温風噴出口１２ａ、１２ｂは、前後に設けるに代えて、前後のいずれか一方のみとしてもよい。
【００３４】
温水ノズル１１は、便器本体Ｂ1 の後部の壁面を内外に回転自在に貫通する保持管３４を介して便器本体Ｂ1 内に保持することができる（図９）。
【００３５】
温水ノズル１１は、保持管３４の先端に斜めに装着されており、モータＭを介して保持管３４を回転駆動することにより、斜め下向きの待機位置（同図の二点鎖線）、斜め上向きの使用位置（同図の実線）の間に駆動することができる。保持管３４の基部は、便器本体Ｂ1 の外部において、回転継手３４ａ、第１管３１を介して供給ユニット２０の開閉弁２２に接続されており、保持管３４は、ギヤ３５ｃ、３５ｄを介してモータＭに連結されている。ただし、ギヤ３５ｃ、３５ｄは、チェーンやタイミングベルト、ゴムベルトなどの任意の動力伝達機構に代えてもよく、モータＭによる保持管３４の回転方向は、１方向であってもよく、正逆方向であってもよい。また、便器本体Ｂ1 に対する保持管３４の貫通部分は、たとえば保持管３４を挿通させるシール付きのスリーブを用いることにより、便器本体Ｂ1 の内外を水密にシールすることが好ましい。
【００３６】
図１、図３または図５の温水ノズル１１は、和式の便器Ｂの片側に付設することができる（図１０の実線）。ただし、同図において、第１管３１は、使用者の邪魔にならないように、エルボ３１ｃを介してたとえば便器Ｂの後方側に配管されている。なお、第１管３１は、便器Ｂの前方側に配管することも可能である。また、図９の温水ノズル１１も、和式の便器Ｂの後部に付設することができる（図１０の二点鎖線）。このとき、保持管３４は、便器Ｂを内外に回転自在に貫通させてもよく、便器Ｂの上縁を横切るようにして、図示しないスリーブを介して回転自在に設置してもよい。さらに、図８の温風ダクト１２は、図９、図１０にも適用可能である。
【００３７】
以上の説明において、モータＭは、便器本体Ｂ1 内に設置することも可能である。また、便器本体Ｂ1 内のモータＭは、その回転駆動対象である第２管３２または保持管３４をロータの軸内に内装し、たとえば図３のギヤ３６ａに倣ってステータを固定することにより、全体構成をコンパクトにまとめることができる。なお、モータＭを便器本体Ｂ1 内に設置するとともに、図１、図３または図５、図９の第１管３１を便器本体Ｂ1 の壁面に貫通させ、便器Ｂの内外に連通させることができる。図１０の和式の便器Ｂについても、全く同様である。いずれの場合も、便器本体Ｂ1 または便器Ｂの壁面に管材を回転自在に貫通させる必要がないので、水密のシールを容易に実現することができる。
【図面の簡単な説明】
【００３８】
【図１】使用状態斜視説明図
【図２】ブロック系統図
【図３】要部拡大斜視図
【図４】動作説明線図
【図５】他の実施の形態を示す図３相当図
【図６】図５の動作説明図
【図７】図５の要部拡大図
【図８】他の実施の形態を示す平面図（１）
【図９】他の実施の形態を示す要部模式図
【図１０】他の実施の形態を示す平面図（２）
【図１１】従来例を示す分解斜視図
【図１２】従来例を示すブロック系統図
【符号の説明】
【００３９】
Ｂ…便器
Ｍ…モータ
１１…温水ノズル
２０…供給ユニット
３１…第１管
３２…第２管
３３…第３管
３４…保持管
特許出願人            武  永    勲
代理人  弁理士      松  田  忠  秋
【図１】
2007016438.tif 000003
【図２】
2007016438.tif 000004
【図３】
2007016438.tif 000005
【図４】
2007016438.tif 000006
【図５】
2007016438.tif 000007
【図６】
2007016438.tif 000008
【図７】
2007016438.tif 000009
【図８】
2007016438.tif 000010
【図９】
2007016438.tif 000011
【図１０】
2007016438.tif 000012
【図１１】
2007016438.tif 000013
【図１２】
2007016438.tif 000014